【誤訳訂正書】
【提出日】平成28年12月5日(2016.12.5)
【誤訳訂正１】
【訂正対象書類名】特許請求の範囲
【訂正対象項目名】全文
【訂正方法】変更
【訂正の内容】
【特許請求の範囲】
【請求項１】
プラスチック材料に、前処理とそれに続く搬送、可塑化、または凝集処理を行う装置であって、前記装置は前記材料を加工するための容器（１）を備え、前記容器（１）には、回転軸（１０）周りに回転し、前記プラスチック材料を混合および加熱、さらに任意に粉砕するための少なくとも一つの混合用および／または粉砕用器具（３）が配置され、
前処理後の前記プラスチック材料を前記容器（１）の内部から取り出すための開口（８）が、容器（１）の側壁（９）に、前記混合用および／または粉砕用器具（３）と同じ高さまたは基台に最も近い最下位に位置する前記混合用および／または粉砕用器具（３）の領域に形成されており、
少なくとも一つの搬送機（５）が前処理後の前記材料を受け取るために設けられ、ハウジング（１６）内で回転する、少なくとも一つのスクリュー６を備え、ハウジング（１６）は、その端部（７）またはジャケット壁に、前記スクリュー（６）が前記材料を受け取るための取入れ口（８０）を有し、前記取入れ口（８０）と開口（８）は接続されており、
前記混合用および／または粉砕用器具（３）の回転方向は、前記取入れ口（８０）側において前記搬送機の搬送方向と反対方向であり、
前記搬送機（５）の中心軸線（１５）または前記取入れ口（８０）に最も近い前記スクリュー（６）の軸線を、前記搬送機（５）の搬送方向（１７）の反対方向に仮想的に延長した延長線が、前記回転軸（１０）と交差はせず、前記混合用および／または粉砕用器具（３）の回転方向または移動方向（１２）の流出側では、前記搬送機（５）の軸線（１５）または前記取入れ口（８０）に最も近い前記スクリュー（６）の軸線と、前記軸線（１５）に平行かつ前記搬送機（５）の搬送方向（１７）で前記混合用および／または粉砕用器具（３）の回転軸（１０）から外方へ向かう前記容器（１）における半径（１１）との間にはオフセット距離（１８）が存在し、
器具（３）とスクリュー（６）との間の最小の起こり得る距離（ｍｓ）が以下の関係によって記載され、
ｍｓ≦ｋ×ｄ＋Ｋ
ｄは、ミリメートル単位でのスクリュー（６）の径であり、
Ｋは、２０から１００、または２０から８０の範囲の因子であり、
ｋは、０．０３から０．４、または０．０４から０，２５の範囲の因子であり、
前記距離（ｍｓ）が、基部に最も近い最下の混合用および／または粉砕用器具（３）、または、そこに設けられる器具および／またはブレード（１４）の径方向最外側の点と、前記取入れ開口（８０）に最も近い前記スクリュー（６）の包絡線上にある点との間において、前記回転軸（１０）から延在しかつ前記開口（８）および前記取入れ開口（８０）を通過する径（１１）に沿って測定される、ことを特徴とする装置。
【請求項２】
請求項１に記載の装置であって、前記距離（ｍｓ）が、１５ｍｍから５０ｍｍの範囲である、ことを特徴とする装置。
【請求項３】
請求項１または請求項２に記載の装置であって、前記搬送機（５）の取入れ領域または前記取入れ開口（８０）の領域における前記スクリュー（６）のねじ山が、前記スクリュー（６）の径（ｄ）の０．０５から０．２５倍、または０．１から０．２倍の範囲である、ことを特徴とする装置。
【請求項４】
請求項１から３までのいずれかの請求項に記載の装置であって、前記取入れ開口（８０）および／または前記開口（８）の明確な幅が、前記スクリュー（６）の径（ｄ）の０．８から３．５倍の範囲である、ことを特徴とする装置。
【請求項５】
請求項１から４までのいずれかの請求項に記載の装置であって、前記取入れ開口（８０）および／または前記開口（８）の明確な高さが、前記スクリュー（６）の径（ｄ）の０．２倍以上、または０．３倍以上である、ことを特徴とする装置。
【請求項６】
請求項１から５までのいずれかの請求項に記載の装置であって、前記取入れ開口（８０）および／または前記開口（８）の開口面積が、０．１６＊（ｄ）２よりも大きい、ことを特徴とする装置。
【請求項７】
請求項１から６までのいずれかの請求項に記載の装置であって、前記スクリュー（６）が前記容器（１）に対して接線方向に配設されているとき、前記最小の起こり得る距離（ｍｓ）と距離（Ａ）との比率が１から４．５の範囲であり、
前記距離（Ａ）が、基部に最も近い最下の混合用および／または粉砕用器具（３）、または、そこに設けられる器具および／またはブレード（１４）の径方向最外側の点と、前記取入れ開口（８０）に最も近い前記スクリュー（６）の包絡線上にある点との間において、前記回転軸（１０）から延在しかつ前記開口（８）および前記取入れ開口（８０）を通過すると同時に、前記押出機（５）の搬送方向（１７）においてみたときに最下流に位置する前記取入れ開口（８０）の点（２０）と接触する径（１１）に沿って測定される、
ことを特徴とする装置。
【請求項８】
請求項７に記載の装置であって、４０から１００ｍｍのスクリュー（６）の径（ｄ）について、距離（Ａ）に対する距離（ｍｓ）の比率が、１．０２から１．７５の範囲である、ことを特徴とする装置。
【請求項９】
請求項７に記載の装置であって、１００から１８０ｍｍのスクリュー（６）の径（ｄ）について、距離（Ａ）に対する距離（ｍｓ）の比率が、１．１８から２．６の範囲である、ことを特徴とする装置。
【請求項１０】
請求項７に記載の装置であって、１８０から４５０ｍｍのスクリュー（６）の径（ｄ）について、距離（Ａ）に対する距離（ｍｓ）の比率が、１．４から４．５の範囲である、
ことを特徴とする装置。
【請求項１１】
請求項１から１０までのいずれかの請求項に記載の装置であって、前記容器（１）と接している搬送機（５）において、前記混合用および／または粉砕用器具（３）の径方向最も外方の点で描かれる円に対して接線方向であり、前記容器（１）の径（１１）に対して法線方向であり、前記混合用および／または粉砕用器具（３）の移動方向または回転方向（１２）を指し示す回転方向（１９）における方向ベクトルと、前記開口（８）の個々の点または全領域、または前記開口（８）の径方向すぐ手前の各点または全領域における前記搬送機（５）の搬送方向における方向ベクトル（１７）のスカラー積が、ゼロまたはマイナス値である、こと
を特徴とする装置。
【請求項１２】
請求項１から１０までのいずれかの請求項に記載の装置であって、前記混合用および／または粉砕用器具（３）の径方向最も外側の点の回転方向（１９）における方向ベクトルと、前記搬送機（５）の搬送方向における方向ベクトル（１７）の間の角度（α）は、前記混合用および／または粉砕用器具（３）の回転方向または移動方向（１２）に対して上流側の前記開口（８）における流入側縁部で二つの前記方向ベクトル（１７、１９）が交差する点で測定された場合、９０°以上かつ１８０°以下の範囲である、ことを特徴とする装置。
【請求項１３】
請求項１から１２までのいずれかの請求項に記載の装置であって、前記回転方向または移動方向（１２）における方向ベクトル（１９）と、前記搬送機（５）の搬送方向における方向ベクトル（１７）の間の角度（β）は、前記開口（８）の中間位置にある二つの前記方向ベクトル（１７、１９）が交差する点で測定された場合、１７０°から１８０°の範囲である、ことを特徴とする装置。
【請求項１４】
請求項１から１３までのいずれかの請求項に記載の装置であって、前記距離（１８）は、前記搬送機（５）またはスクリュー（６）のハウジング（１６）内径の２分の１と同等またはそれよりも大きく、および／または、前記容器（１）の半径の７％以上、または２０％以上であり、前記距離（１８）は、前記容器（１）の半径と同等またはそれより大きい、ことを特徴とする装置。
【請求項１５】
請求項１から１４までのいずれかの請求項に記載の装置であって、前記搬送機（５）の軸線（１５）を、前記搬送方向の反対方向に仮想的に延長した延長線は、前記容器（１）内部のスペースを、少なくとも一部において、前記容器（１）の断面に対して割線状に通過する、ことを特徴とする装置。
【請求項１６】
請求項１から１５までのいずれかの請求項に記載の装置であって、前記搬送機（５）は、前記容器（１）に対して接線方向に取り付けられているか、または前記容器（１）の断面に対して接線方向に沿っており、前記スクリュー（６）の端部（７）に駆動機が接続され、前記スクリューが、その反対端において、前記ハウジング（１６）の端部に設けられた排出口へ搬送を行う、ことを特徴とする装置。
【請求項１７】
請求項１から１６までのいずれかの請求項に記載の装置であって、前記開口（８）と取入れ口（８０）との間を、分離しないように、移送部または搬送スクリューを介在させずに直接接続する、ことを特徴とする装置。
【請求項１８】
請求項１から１７までのいずれかの請求項に記載の装置であって、前記混合用および／または粉砕用器具（３）は、前記回転方向または移動方向（１２）に前記プラスチック材料に粉砕、切断および加熱作用有する器具および／またはブレード（１４）を備え、前記器具および／またはブレード（１４）は、基底水準面（２）に平行に配置される搬送ディスク（１３）である、回転可能な器具搬送機（１３）に配置または形成される、ことを特徴とする装置。
【請求項１９】
請求項１から１８までのいずれかの請求項に記載の装置であって、前記混合用および／または粉砕用器具（３）またはブレード（１４）おける、前記プラスチック材料に作用し、前記回転方向または移動方向（１２）を指し示す前方領域または前方縁部（２２）の形成、構成、曲率および／または配置の態様は、前記回転方向または移動方向（１２）後部に位置する各領域と比較して違っている、ことを特徴とする装置。
【請求項２０】
請求項１から１９までのいずれかの請求項に記載の装置であって、前記容器（１）は基本的に、その断面が円形の円筒形状を有し、基底水準面（２）とこれに対して垂直方向のシリンダージャケットの形状を有する側壁（９）を有し、および／または前記混合用および／または粉砕用器具（３）の回転軸（１０）が前記容器（１）の中心軸線と一致し、および／または前記回転軸（１０）または中心軸線が前記基底水準面（２）に対して、垂直および／または法線方向であること、を特徴とする装置。
【請求項２１】
請求項１８に記載の装置であって、最下位に位置する前記器具搬送機（１３）または最下位に位置する前記混合用および／または粉砕用器具（３）および／または前記開口（８）は、前記容器（１）の高さ寸法の下から４分の１の領域において、前記基底水準面（２）から１０ｍｍ〜４００ｍｍの距離を置いて、前記基台に近接して配置される、ことを特徴とする装置。
【請求項２２】
請求項１から２１までのいずれかの請求項に記載の装置であって、前記搬送機（５）は一つの圧縮スクリュー（６）を有する一軸スクリュー押出機（６）、または二軸／多軸スクリュー押出機であり、各前記スクリュー（６）の直径ｄはすべて同一である、ことを特徴とする装置。
【誤訳訂正２】
【訂正対象書類名】明細書
【訂正対象項目名】００５７
【訂正方法】変更
【訂正の内容】
【００５７】
径方向にオフセットされているが、接線方向に設けられていない搬送機の場合、搬送機の軸線を搬送方向の反対方向に仮想的に延長した延長線が、受け器内部のスペースを、少なくともその一部において、割線状に通過することが望ましい。
【誤訳訂正３】
【訂正対象書類名】明細書
【訂正対象項目名】００９８
【訂正方法】変更
【訂正の内容】
【００９８】
図４は別の実施形態を示し、押出機５は、流出側で図３の図示よりも多少オフセットが大きいが、図１と２に示すように、依然として接線方向ではない。本例では、図３に示すように、押出機５の軸線１５を仮想的に後方に伸ばした延長線が、容器１内部のスペースを割線状に通過する。この結果、（容器１の周方向に測定すると）開口８は図３の実施形態よりも幅寸法が大きくなる。これに対応して、距離１８もまた図３よりも大きくなるが、半径１１よりは多少小さい。点２０で測定された角度αは約１５０°であり、送り込み作用は図３の装置と比較して小さくなる。これは、特定の有感材料には有利な構成である。ハウジング１６の内壁または右手方向の内側縁部は、容器１から見て、容器１に対して接線方向である。したがって、図３とは違い、漸次傾斜する縁部はない。開口８の、図４の最も左手方向、さらに下流側に位置する点では、該角度は約１８０°である。